(57)【要約】      （修正有）【課題】水素発生材から水素ガスを吸引でき、かつ水素ガスが溶解した水溶液を飲料水として安心して体内に摂取可能な水素ガス吸引装置を提供する。【解決手段】上方に開口を有する第１の容器６と、容器６内に収容された水素発生材１１と、上記開口を閉塞するとともに第１の管挿通用開口が形成された第１の蓋体７と、上方に開口１８ａが形成された第２の容器１８と、上記開口１８ａを閉塞するとともに、第２の管挿通用開口１９ａと第３の管挿通用開口が形成された第２の蓋体１９と、一端は上記第１の管挿通用開口内に挿通され他端側中途部は上記第２の管挿通用開口１９ａ内に挿通され他端は上記第２の容器３の底方向に位置してなる第１の管体４と、一端は上記第３の管挿通用開口に挿通され他端は水素ガス吸引部５が形成されてなる第２の管体２２とを備えてなる。【選択図】図２
0003184470.tif 000002
【実用新案登録請求の範囲】
【請求項１】
上方に開口を有する第１の容器と、
この第１の容器内であって該第１の容器の底方向に位置するように収容された水素発生材と、
上記開口を閉塞するとともに第１の管挿通用開口が形成された第１の蓋体と、
上方に開口が形成された第２の容器と、
上記開口を閉塞するとともに第２の管挿通用開口と第３の管挿通用開口が形成された第２の蓋体と、
一端は上記第１の管挿通用開口内に挿通され他端側中途部は上記第２の管挿通用開口内に挿通され他端は上記第２の容器の底方向に位置してなる第１の管体と、
一端は上記第３の管挿通用開口に挿通され他端は鼻腔カニューラ等の水素ガス吸引部が形成されてなる第２の管体と、を備えてなることを特徴とする水素ガス吸引装置。
【請求項２】
前記水素発生材は、収容容器内に収容されてなり、該収容容器は、複数の開口が形成され開口を備えた容器本体と、上記容器本体に形成された開口を閉塞し複数の開口が形成された蓋体とを備え、
上記容器本体又は蓋体の何れか一方には水の比重よりも高い比重を有する重りが固定されてなることを特徴とする請求項１記載の水素ガス吸引装置。
【請求項３】
前記第１の管体の他端は、水の比重よりも高い比重を有し多数の貫通穴が形成されてなる多孔質材内に固定されてなることを特徴とする請求項１又は２記載の何れかの水素ガス吸引装置。
【考案の詳細な説明】
【技術分野】
【０００１】
本考案は、水素ガスを使用者が吸入する際に使用される水素ガス吸入装置に関するものである。
【背景技術】
【０００２】
水素ガスは人体に吸引されることにより、体内において発生した活性酸素、特に老化を促進したり各種の疾患の原因となったりする活性酸素を消去する等の機能があり、近年こうした水素ガスの効能に注目が集まっている。
【０００３】
そこで、従来、こうした水素ガスを体内に吸引する水素ガス吸引装置が使用されている。この吸引装置は、上部に開口が形成された容器内に水素ガスを発生させる水素発生材を水とともに収容し、上記容器の開口を閉塞する蓋体に穴を設け、この穴内にチューブの一端側を挿入し、上記水素発生材から発生した水素ガスを上記チューブの他端側から体内に吸引できるように構成されたものである。上記水素発生材は、水と反応することにより水素ガスを発生させるものであり、上記容器内には、該水素発生材が浮上することを防止するために所定の重りを収容して使用される。
【考案の概要】
【考案が解決しようとする課題】
【０００４】
ところで、上述した従来の水素ガス吸引装置では、上記水素発生材とともに上記容器内充填された水は、該水素発生材から発生する水素と水との接触により、水素ガスが水に溶解し水素水（水溶液）となる。この水素ガスが溶解した水溶液は、口から体内に摂取した場合であっても上記効果・効能が報告されて、近年では健康食品や美容分野でも注目を集めている。
【０００５】
しかしながら、上述したこれまでの水素ガス吸引装置では、上記容器に充填された水が上記水溶液となるとしても、上記水素発生材とともに該容器に収容されていることから、人体に特別な悪影響が無いとしても衛生的には十分とは言えず、上記水溶液を飲料として口から摂取することには抵抗感が大きい。
【０００６】
そこで、本考案は、上述した従来の水素ガス吸引装置が有する課題を解決するために提案されたものであって、上記水素発生材から水素ガスを吸引することができるばかりではなく、水素ガスが溶解した水溶液を飲料水として体内に摂取する際にも安心して摂取することが可能な新規な水素ガス吸引装置を提供することを目的とするものである。
【課題を解決するための手段】
【０００７】
本考案は、上記課題を解決するために提案されたものであって、上方に開口を有する第１の容器と、この第１の容器内であって該第１の容器の底方向に位置するように収容された水素発生材と、上記開口を閉塞するとともに第１の管挿通用開口が形成された第１の蓋体と、上方に開口が形成された第２の容器と、上記開口を閉塞するとともに第２の管挿通用開口と第３の管挿通用開口が形成された第２の蓋体と、一端は上記第１の管挿通用開口内に挿通され他端側中途部は上記第２の管挿通用開口内に挿通され他端は上記第２の容器の底方向に位置してなる第１の管体と、一端は上記第３の管挿通用開口に挿通され他端は鼻腔カニューラ等の水素ガス吸引部が形成されてなる第２の管体と、を備えてなることを特徴とするものである。
【０００８】
この第１の考案に係る水素ガス吸引装置では、上記第１の容器内と第２の容器内に水を充填することにより、該第１の容器内においては上記水素発生材と水との反応により水素ガスが発生し、この水素ガスは上記第１の管体の一端から流入するとともに、第２の容器内の水中に位置する（第２の容器の底方向に位置する）他端から水中に放出されるとともに該水内から浮上・移動する。そして、この第２の容器内に流入し水の上方に移動した水素ガスは、上記第２の管体の一端から流入し他端に形成された水素ガス吸引部から大気に放出される。したがって、上記第２の管体に形成された上記水素ガス吸引部から水素ガスを吸引することにより、使用者の体内に摂取することが可能となる。そして、上記第２の容器内に充填された水は、水素ガスが所定の濃度に溶解した水溶液となり、上記第２の蓋体を取り除き、飲料水として飲用することが可能となる。
【０００９】
したがって、この第１の考案に係る水素ガス吸引装置によれば、従来の水素ガス吸引装置のように、水素発生材とともに収容・充填された水溶液を飲料水として飲用するものではないので、衛生的にも心理的にも安心して摂取することが可能となる。
【００１０】
また、第２の考案（請求項２記載の考案）は、上記第１の考案において、前記水素発生材は、収容容器内に収容されてなり、該収容容器は、複数の開口が形成され開口を備えた容器本体と、上記容器本体に形成された開口を閉塞し複数の開口が形成された蓋体とを備え、上記容器本体又は蓋体の何れか一方には水の比重よりも高い比重を有する重りが固定されてなることを特徴とするものである。
【００１１】
この第２の考案に係る水素ガス吸引装置では、水素発生材は、収容容器内に収容されてなり、該収容容器は、複数の開口が形成され開口を備えた容器本体と、上記容器本体に形成された開口を閉塞し複数の開口が形成された蓋体とを備え、上記容器本体又は蓋体の何れか一方には水の比重よりも高い比重を有する重りが固定されていることから、上記第１の容器内において水と反応することにより水素ガスを発生する水素発生材が水に浮いてしまうことを有効に防止することができ、安定した水素ガスを得ることができる。
【００１２】
また、第３の考案（請求項３記載の考案）は、上記第１又は第２の考案の何れかにおいて、前記第１の管体の他端は、水の比重よりも高い比重を有し多数の貫通穴が形成されてなる多孔質材内に固定されてなることを特徴とするものである。
【００１３】
この第３の考案に係る水素ガス吸引装置では、上記第１の管体から放出された水素ガスは、上記多孔質材に形成された多数の貫通穴を通過し細かい泡となって第２の容器内に充填された水に接触することから、該第２の容器内に充填された水に効率良く溶解させることが可能となる。
【考案の効果】
【００１４】
上記第１の考案（請求項１記載の考案）に係る水素ガス吸引装置によれば、上記第２の管体に形成された上記水素ガス吸引部から水素ガスを吸引することにより、使用者の体内に摂取することが可能となるばかりではなく、上記第２の容器内に充填された水は、水素ガスが所定の濃度に溶解した水溶液となり、上記第２の蓋体を取り除き、飲料水として衛生上の心配をする必要なく安心して飲用することが可能となる。
【００１５】
また、上記第２の考案（請求２記載の考案）に係る水素ガス吸引装置によれば、上記第１の容器内において水と反応することにより水素ガスを発生する水素発生材が水に浮いてしまうことを有効に防止することができ、安定した水素ガスを得ることができる。
【００１６】
また、上記第３の考案（請求項３記載の考案）に係る水素ガス吸引装置によれば、第２の容器内に充填された水に効率良く溶解させることが可能となる。
【図面の簡単な説明】
【００１７】
【図１】実施の形態に係る水素ガス吸引装置を一部破断して模式的に示す分解斜視図である。
【図２】図１に示す水素ガス吸引装置の断面図である。
【図３】収容容器を示す分解斜視図である。
【考案を実施するための形態】
【００１８】
以下、本考案を実施するための最良の形態に係る水素ガス吸引装置について図面を参照しながら詳細に説明する。
【００１９】
この水素ガス吸引装置１は、図１及び図２に示すように、第１の容器２と、第２の容器３と、接続チューブ４と、鼻腔カニューラ５とを備えてなるものである。上記第１の容器２は、樹脂により一体成形され内部に収容空間（符号は省略する。）が形成され上部には開口６ａが形成された容器本体６と、この容器本体６に形成された開口６ａを閉塞する第１の蓋体７とから構成されている。上記容器本体６は、この実施の形態では外形形状が直方体状に成形されたものであり、正面，背面，左側面及び右側面のそれぞれ上端側中途部には、係止片６ｂがそれぞれ複数形成されている。また、上記第１の蓋体７は、軟質樹脂により一体成形されてなるものであって、上記開口６ａを閉塞する方形状の主板部７ａと、この主板部７ａの前端，後端，左端及び右端にそれぞれ折曲部７ｂを介して折曲可能に形成されたロック片７ｃが形成されてなるものであり、これら各ロック片７ｃには、上記各係止片６ｂが挿通され係合する二つ係合穴７ｄがそれぞれ形成されている。また、この第１の蓋体７の中央には、開口７ｅが開設され、この開口７ｅには、中心に挿通穴８ａが形成されたパッキン８が固定され、この挿通穴８ａには、後述する接続チューブ（本考案を構成する第１の管体）４の一端側が接続されるパイプ９の下端側が挿入されている。
【００２０】
また、上記容器本体６内には、図１及び図２に示すように、収容容器１０が収容されており、この収容容器１０内には、水素発生材１１が収容されている。上記収容容器１０は、図３に示すように、上方に開口（符号は省略する。）が形成され樹脂により一体成形された容器本体１２と、この開口を閉塞し同じ樹脂により一体成形された蓋体１３とから構成されている。そして、上記容器本体１２には、上記水素発生材１１が収容される収容空間が形成されてなるとともに、多数の開口１２ａが形成され、また、金属により円柱状に成形された二つの重り１４，１５が配置されている。また、この容器本体１２の正面側上面と背面側上面との双方には、それぞれ複数の本体側係止部１２ｂが形成されている。一方、上記蓋体１３にも多数の開口１３ａが形成されてなるとともに、下面には、該蓋体１３を容器本体１２に形成された正面側上面と背面側上面に押しつけるとともにスライド操作することにより上記本体側係止部１２ｂに係止される複数の蓋体側係止部１３ｂが形成されている。また、上記水素発生材１１は、微細孔が多数形成された紙製の収納袋内に水と反応することにより水素ガスが発生する図示しない水素発生材が封入されてなるものであり、この水素発生材は、粉体状の生石灰と粉体状のアルミニウムを主成分とするものであり、水と反応することにより発熱するとともに水素ガスが発生するものであり、特許第３４６７７２９号公報に開示された株式会社協同製の水素発生材を使用することができる。
【００２１】
また、上記第２の容器３は、図１又は図２に示すように、上部に円形状の開口１８ａが形成されボトル状に成形された容器本体１８と、上記開口１８ａを閉塞する第２の蓋体１９とから構成されている。上記容器本体１８は、内部に水が充填される充填空間が形成されている。また、上記第２の蓋体１９は、ウレタン樹脂又はシリコン樹脂等の軟質樹脂により略円錐台状に一体成形されてなるものであり、図２に示すように、第１及び第２の貫通穴１９ａ，１９ｂが形成されている。
【００２２】
そして、上記第１の容器２と第２の容器３とは、上記パイプ９を介して接続チューブ４により接続されている。すなわち、上記接続チューブ４の一端側は、上記パイプ９の上端に接続され、他端側中途部は、上記第２の蓋体１９に形成された第１の貫通穴１９ａ内に挿通されてなるとともに先端には、図２に示すように、多孔質材２１内に固定されている。この多孔質材２１は、水の比重よりも高い比重を有し多数の図示しない貫通穴が形成されている。
【００２３】
また、上記第２の蓋体１９に形成された第２の貫通穴１９ｂには、中間チューブ２２を介して、本考案を構成する第２の管体である鼻腔カニューラ５が接続されている。すなわち、上記中間チューブ２２の一端が上記第２の貫通穴１９ｂに挿入され、他端は上記鼻腔カニューラ５の一端が接続されている。この鼻腔カニューラ５の他端には使用者の鼻の各穴に先端側挿入される挿入部５ａ，５ｂが形成されてなるものである。
【００２４】
したがって、上記構成に係る水素ガス吸引装置１では、上記第１の容器２内で発生した水素ガスは、上記パイプ９を介して上記接続チューブ４内に流入し、上記第２の容器３内に収容された多孔質材２１に形成された微細な貫通穴から細かい泡状となって該第２の容器３内に充填された水内に放出され、一部はこの水に溶解しながら上方に移動し、その後に上記中間チューブ２２を介して上記鼻腔カニューラ５内に流入し、使用者の鼻腔から体内に吸引される。
【００２５】
このように、上記水素ガスは、上記第２の容器３内に充填された水に一部が溶解し、該水は水素水となるとともに、第２の容器３内には水のみが予め充填されるものであることから、上記第２の蓋体１９を容器本体１８から取り除くことにより、そのまま飲料水として衛生上も安心して飲用することができる。
【００２６】
特に、上記接続チューブ４の他端には多孔質材２１が固定され、この多孔質材２１に形成された微細な貫通穴から細かい泡状となって該第２の容器３内に充填された水内に放出されることから、効率良く水に溶解させることが可能となる。
【符号の説明】
【００２７】
１  水素ガス吸引装置
２  第１の容器
３  第２の容器
４  接続チューブ
５  鼻腔カニューラ
６  容器本体
６ａ  開口
７  第１の蓋体
１０  収容容器
１１  水素発生材
１２  容器本体
１３  蓋体
１４，１５  重り
１９  第２の蓋体
１９ａ  第１の貫通穴
１９ｂ  第２の貫通穴
２１  多孔質材
２２  中間チューブ
【図１】
0003184470.tif 000003
【図２】
0003184470.tif 000004
【図３】
0003184470.tif 000005